(57)【要約】【課題】足の小指を入れた指袋先端が、足の小指先方にだらしなく垂れ下がった状態となることのない、ストッキング、ソックス又はタイツの製造方法を提供する。【解決手段】ストッキング、ソックス又はタイツの足挿入部先端縁１２を、その足の小指を挿入する足挿入部先端縁１２ｂが足挿入部１０内方に後退した状態となるように、足先端の形状に合わせて、所望の曲線状にカットして、その足挿入部先端縁１２を糸２０で互いに縫い合わせて封ずる。次いで、その足挿入部先端１４に４本の線状の切り込み３０を所定間隔あけて縦に入れると共に、その４本の線状の切り込み３０が入れられた足挿入部先端１４の内側縁をそれぞれ糸２２で互いに縫い合わせて封ずる。【選択図】図４
2007182639.tif 000002
【特許請求の範囲】
【請求項１】
足の指を挿入する指挿入部が、足の５本の指のそれぞれを別々に挿入可能な、５つの指袋に分れているストッキング、ソックス又はタイツの製造方法であって、次のステップを含むことを特徴とするストッキング、ソックス又はタイツの製造方法。
ａ．ストッキング、ソックス又はタイツの足を挿入する、筒状をした足挿入部を形成するステップ。
ｂ．前記筒状をした足挿入部を、裏返した後、平面状に押し潰して、上下２枚に重ね合わせた状態とし、その裏返されて上下２枚に重ね合わせられた状態の足挿入部先端縁を、その足の小指を挿入する足挿入部先端縁が、その足の親指を挿入する足挿入部先端縁に比べて、足挿入部内方に後退した状態となるように、足先端の形状に合わせて、所望の曲線状にカットするステップ。
ｃ．前記所望の曲線状にカットされた、裏返されて上下２枚に重ね合わせられた状態の足挿入部先端縁を糸で互いに縫い合わせて封ずるステップ。
ｄ．前記先端縁が糸で互いに縫い合わせられて封じられた、裏返されて上下２枚に重ね合わせられた状態の足挿入部先端に、足の５本の指の太さにそれぞれ合わせて、４本の線状の切り込みを足挿入部先端縁からその内方に向けて所定間隔あけて縦に入れると共に、その裏返されて上下２枚に重ね合わせられた状態の４本の線状の切り込みが入れられた足挿入部先端の内側縁をそれぞれ糸で互いに縫い合わせて封ずるステップ。
【発明の詳細な説明】
【技術分野】
【０００１】
本発明は、足の指を挿入する足の指挿入部が、５つの指袋に分れているストッキング、ソックス又はタイツの製造方法に関する。
【背景技術】
【０００２】
従来一般の、ストッキング、ソックス又はタイツは、その足の指を入れる指挿入部が、１つの袋状に形成されていて、その袋状に形成された指挿入部に、足の５本の指を纏めて入れる構造をしている。
そのために、その１つの袋状に形成された指挿入部に入れた隣合う足の指の間が、ストッキング、ソックス又はタイツの足の指挿入部に押されて密着した状態となった。そして、その足の指の間に足から湧出した汗や油が溜まって、水虫発生の原因になったり、不快感を催したりした。また、足の指１本毎のそれぞれに力が入りにくくなって、歩行に支障を来した。
【０００３】
このような課題を解消するものとして、実用新案登録第３１００９９１号公報、特開平０８−１９９４０３号公報に記載されたような、ストッキングやタイツの足の指を挿入する指挿入部が、５つの指袋にそれぞれ分れているものが、提案されている。
このストッキングやタイツによれば、その５つの指袋に分れた足の指挿入部のそれぞれに、足の５本の指を、それぞれ別々に分けて挿入できる。そして、そのストッキングやタイツの足の指挿入部の５つの指袋にそれぞれ挿入された足の５本の指の間が、ストッキング、ソックス又はタイツの足の指挿入部に押されることなく、その足の指の間を、ストッキングやタイツを履かない自然な状態に近い、小間隔あけた状態に保持できる。そして、その足の指の間に、足から湧出した汗や油が溜まるのを防ぐことができる。それと共に、足の５本の指のそれぞれを、ストッキングやタイツの足の指挿入部に妨害されることなく、自由に動かすことができる。そして、そのストッキングやタイツを着けた足の指１本毎のそれぞれに十分な力を入れて、歩行を安全かつ快適に行える。
【特許文献１】実用新案登録第３１００９９１号公報
【特許文献２】特開平０８−１９９４０３号公報
【発明の開示】
【発明が解決しようとする課題】
【０００４】
しかしながら、上記公報記載のストッキングやタイツは、図６に示したように、その足の５本の指をそれぞれ分けて挿入する、その足の指挿入部の５つの指袋１６先端が、その足の指挿入部側縁１８に対してほぼ垂直な、高低差のない、ほぼ横一列の直線状に並んだ状態に配列されていた。そのために、その足の小指を入れる足の指挿入部の指袋１６に、足の短い小指を入れた場合に、その小指用の指袋１６先端の内側まで足の小指が到達し得ずに、その小指用の指袋１６先端が、足の小指先方にだらしなく垂れ下がった状態となった。そして、そのストッキングやタイツを着けた足の体裁を悪くした。それと共に、そのストッキングやタイツを着けた足に靴を履いた場合に、その足の小指先方に垂れ下がったストッキングやタイツの指袋１６先端が邪魔となって、靴の履き心地を悪くした。
【０００５】
本発明は、このような課題に鑑みてなされたもので、足の指を挿入する足の指挿入部が、５つの指袋に分れているストッキング、ソックス又はタイツの製造方法であって、その足の小指を入れた指袋先端が、足の小指先方にだらしなく垂れ下がった状態となって、ストッキングやタイツを着けた足の体裁を悪くしり、靴の履き心地を悪くしたりすることのない、ストッキング、ソックス又はタイツの製造方法を提供することを、目的としている。
【課題を解決するための手段】
【０００６】
このような目的を達成するために、本発明のストッキング、ソックス又はタイツの製造方法は、足の指を挿入する指挿入部が、足の５本の指のそれぞれを別々に挿入する、５つの指袋に分れているストッキング、ソックス又はタイツの製造方法であって、次のａ〜ｄのステップを含むことを特徴としている。
ａ．ストッキング、ソックス又はタイツの足を挿入する、筒状をした足挿入部を形成するステップ。
ｂ．前記筒状をした足挿入部を、裏返した後、平面状に押し潰して、上下２枚に重ね合わせた状態とし、その裏返されて上下２枚に重ね合わせられた状態の足挿入部先端縁を、その足の小指を挿入する足挿入部先端縁が、その足の親指を挿入する足挿入部先端縁に比べて、足挿入部内方に後退した状態となるように、足先端の形状に合わせて、所望の曲線状にカットするステップ。
ｃ．前記所望の曲線状にカットされた、裏返されて上下２枚に重ね合わせられた状態の足挿入部先端縁を糸で互いに縫い合わせて封ずるステップ。
ｄ．前記先端縁が糸で互いに縫い合わせられて封じられた、裏返されて上下２枚に重ね合わせられた状態の足挿入部先端に、足の５本の指の太さにそれぞれ合わせて、４本の線状の切り込みを足挿入部先端縁からその内方に向けて所定間隔あけて縦に入れると共に、その裏返されて上下２枚に重ね合わせられた状態の４本の線状の切り込みが入れられた足挿入部先端の内側縁をそれぞれ糸で互いに縫い合わせて封ずるステップ。
【０００７】
このストッキング、ソックス又はタイツの製造方法においては、そのａのステップにおいて、ストッキング、ソックス又はタイツの筒状をした足挿入部を形成している。
次いで、そのｂのステップにおいて、その筒状に形成された足挿入部を、裏返した後、平面状に押し潰して、上下２枚に重ね合わせた状態としている。そして、その裏返されて上下２枚に重ね合わせられた状態の足挿入部先端縁を、その足の小指側の足挿入部先端縁が、その足の親指側の足挿入部先端縁に比べて、足挿入部内方に後退した状態となるように、足先端の形状に合わせて、所望の曲線状にカットしている。
次いで、そのｃのステップにおいて、その所望の曲線状にカットされた、裏返されて上下２枚に重ね合わせられた状態の足挿入部先端縁を糸で互いに縫い合わせて封じている。そして、その後に、そのｄのステップにおいて、その先端縁が糸で互いに縫い合わせて封じられた、裏返されて上下２枚に重ね合わせられた状態の足挿入部先端に、足の５本の指の太さに合わせて、４本の線状の切り込みを足挿入部先端縁からその内方に向けて所定間隔あけて縦に入れている。それと共に、その裏返されて上下２枚に重ね合わせられた状態の４本の線状の切り込みが入れられた足挿入部先端の左右及び底部の内側縁を、糸でそれぞれ互いに縫い合わせて封じている。そして、その裏返しされた状態のストッキング、ソックス又はタイツの足挿入部を表返して、そのストッキング、ソックス又はタイツの足挿入部先端に、足の５本の指をそれぞれ別々に分けて挿入する、足の５本の指の太さと指の長さにそれぞれ合った、太さと長さの異なる５つの指袋をそれぞれ形成している。
そのために、この製造方法により形成された、ストッキング、ソックス又はタイツによれば、太さと長さの異なる足の親指、小指等の５本の指のそれぞれを、それに合わせて形成された、ストッキング、ソックス又はタイツの足挿入部先端の太さと長さの異なる５つの指袋のそれぞれに、それら５つの指袋先端の内側まで５本の足の指先端がそれぞれ過不足なく到達し得るように挿入できる。そして、その足の短い小指が挿入された指袋先端が、足の小指先方にだらしなく垂れ下がるのを、防ぐことが可能となる。
【発明の効果】
【０００８】
以上説明したように、本発明のストッキング、ソックス又はタイツの製造方法によれば、そのストッキング、ソックス又はタイツの足挿入部先端に、足の５本の指をそれぞれ別々に分けて挿入する、足の５本の指の太さと指の長さにそれぞれ合った、太さと長さの異なる５つの指袋をそれぞれ形成できる。そして、そのストッキング、ソックス又はタイツの足挿入部先端に形成された太さと長さの異なる５つの指袋のそれぞれに、それに合った太さと長さの異なる足の親指、小指等の５本の指のそれぞれを、それら５つの指袋先端の内側までそれら５本の足の指先端がそれぞれ過不足なく到達し得るように挿入できる。そして、その足の短い小指が挿入された指袋先端が、足の小指先方にだらしなく垂れ下がるのを、防ぐことが可能となる。
【発明を実施するための最良の形態】
【０００９】
図１ないし図４は本発明のストッキング、ソックス又はタイツの製造方法の好適な実施の形態を示し、図１ないし図４はその製造方法の説明図である。以下に、このストッキング、ソックス又はタイツの製造方法を説明する。
【００１０】
このストッキング、ソックス又はタイツの製造方法は、足の指を挿入する指挿入部が、足の５本の指のそれぞれを別々に挿入する、５つの指袋に分れているストッキング、ソックス又はタイツの製造方法であって、そのａのステップにおいては、図１に示したように、伸縮性のある繊維を編み合わせて、ストッキング、ソックス又はタイツの筒状をした足挿入部１０を形成している。
次いで、そのｂのステップにおいて、図２に示したように、そのストッキング、ソックス又はタイツの筒状をした足挿入部１０を、裏返した後、平面状に押し潰して、上下２枚に重ね合わせた状態としている。そして、そのストッキング、ソックス又はタイツの裏返されて上下２枚に重ね合わせられた状態の足挿入部先端縁１２を、その足の小指側の足挿入部先端縁１２ｂが、その足の親指側の足挿入部先端縁１２ａに比べて、足挿入部１０内方に後退した状態となるように、足先端の形状に合わせて、カッター等を用いて、所望の曲線状にカットしている。
次いで、そのｃのステップにおいて、図３に示したように、そのストッキング、ソックス又はタイツの裏返されて上下２枚に重ね合わせられた状態の、所望の曲線状にカットされた足挿入部先端縁１２を、ミシン等を用いて、糸２０で互いに縫い合わせて封じている。
その後、そのｄのステップにおいて、図４に示したように、その先端縁１２が糸２０で互いに縫い合わせられて封じられた、裏返されて上下２枚に重ね合わせられた状態の足挿入部先端１４に、足の５本の指の太さにそれぞれ合わせて、４本の線状の切り込み３０を足挿入部先端縁１２からその内方に向けて所定間隔あけて縦に入れている。それと共に、その裏返されて上下２枚に重ね合わせられた状態の４本の線状の切り込み３０が入れられた足挿入部先端１４の左右及び底部の内側縁をそれぞれ糸２２で互いに縫い合わせて封じている。
その際には、ロックミシン等を用いて、その先端縁１２が糸２０で互いに縫い合わせられて封じられた状態の足挿入部先端１４に、線状の切り込み３０を入れながら、その切り込み３０が入れられた足挿入部部分の左右及び底部の内側縁を糸２２で連続して絡め縫いしている。
図１ないし図４に示したストッキング、ソックス又はタイツの製造方法は、以上のａ〜ｄのステップからなっている。
このストッキング、ソックス又はタイツの製造方法において、そのストッキング、ソックス又はタイツの筒状をした足挿入部１０を、裏返した状態で、その所望の曲線状にカットされた足挿入部先端縁１２を糸２０で互いに縫い合わせたり、その４本の線状の切り込み３０が入れられた足挿入部先端１４の内側縁をそれぞれ糸２２で互いに縫い合わせたりしている理由は、その後に、そのストッキング、ソックス又はタイツの足挿入部１０を表返した場合に、その足挿入部先端縁１２や切り込み３０が入れられた足挿入部先端１４の内側縁の糸２０、２２で互いに縫い合わされた部分が、ストッキング、ソックス又はタイツの表側に露出した状態となって、それらストッキング、ソックス又はタイツ部分の見栄えが悪くなるからである。
【００１１】
このストッキング、ソックス又はタイツの製造方法により製造されたストッキング、ソックス又はタイツの使用に際しては、図５に示したように、その裏返された状態のストッキング、ソックス又はタイツの足挿入部１０を表返して、そのストッキング、ソックス又はタイツの足挿入部先端１４に、足の５本の指をそれぞれ別々に分けて挿入する、足の５本の指の太さと長さにそれぞれ合った、太さと長さの異なる５つの指袋１６をそれぞれ表側に露出させた状態とする。
そして、そのストッキング、ソックス又はタイツの足挿入部先端１４に露出した太さと長さの異なる５つの指袋１６のそれぞれに、それに合った太さと長さの異なる足の親指、小指等の５本の指のそれぞれを挿入する。
すると、そのストッキング、ソックス又はタイツの足挿入部先端１４に形成された太さと長さの異なる５つの指袋１６のそれぞれに、それに合った太さと長さの異なる足の親指、小指等の５本の指のそれぞれを、それら５本の足の指先端がそれら５つの指袋１６先端の内側までそれぞれ過不足なく到達し得るように挿入できる。そして、その足の短い小指が挿入された指袋１６先端が、足の小指先方にだらしなく垂れ下がるのを、防ぐことができる。
【産業上の利用可能性】
【００１２】
本発明のストッキング、ソックス又はタイツの製造方法は、５本の足の指をそれぞれ別々に分けて挿入する５つの指袋を持つ、パンティストッキング等のストッキング、各種ソックス、又は各種タイツに、広く利用可能である。
【図面の簡単な説明】
【００１３】
【図１】本発明のストッキング、ソックス又はタイツの製造方法の説明図である。
【図２】本発明のストッキング、ソックス又はタイツの製造方法の説明図である。
【図３】本発明のストッキング、ソックス又はタイツの製造方法の説明図である。
【図４】本発明のストッキング、ソックス又はタイツの製造方法の説明図である。
【図５】本発明のストッキング、ソックス又はタイツの製造方法により製造されたストッキング、ソックス又はタイツの説明図である。
【図６】従来のストッキング、ソックス又はタイツの説明図である。
【符号の説明】
【００１４】
１０ 足挿入部
１２ 足挿入部先端縁
１４ 足挿入部先端
１６ 指袋
１８ 指挿入部側縁
２０ 糸
２２ 糸
３０ 切り込み
【図１】
2007182639.tif 000003
【図２】
2007182639.tif 000004
【図３】
2007182639.tif 000005
【図４】
2007182639.tif 000006
【図５】
2007182639.tif 000007
【図６】
2007182639.tif 000008